(57)【要約】【目的】  予め定めた楽曲データを、その楽曲データと同内容の楽曲に係る波形データとして外部に出力できないようにする。【構成】  電子音楽装置において、楽曲データに基づいて自動演奏を行う自動演奏機能と、その自動演奏の際に生成した波形データを記録する録音機能を設ける場合において、利用を制限しない楽曲データに基づく自動演奏は録音機能の状態に関係なく通常品質で行い（Ｓ２１，Ｓ２２）、利用を制限する楽曲データに基づく自動演奏は、録音の実行中でも録音待機状態でもない場合に通常品質で行い、録音の実行中又は録音待機状態には低品質で行うようにした（Ｓ２３，Ｓ２４）。【選択図】        図５
2006259610.tif 000002
【特許請求の範囲】
【請求項１】
利用を制限する第１の楽曲データと、利用を制限しない第２の楽曲データとを記憶する第１の記憶手段と、
波形データを記憶する第２の記憶手段と、
前記第１の記憶手段に記憶している楽曲データに基づいて該楽曲データが示す楽曲に係る波形データを生成して出力する自動演奏手段と、
該手段が生成した波形データを前記第２の記憶手段に記録して録音を行う録音手段とを設け、
前記自動演奏手段を、波形データの生成に用いている楽曲データが前記第２の楽曲データである場合には前記録音手段の状態に関係なく通常品質の波形データの出力を行い、波形データの生成に用いている楽曲データが前記第１の楽曲データである場合には、前記録音手段が録音実行中でない場合、又はそれに加えて録音待機状態でない場合に前記通常品質の波形データの出力を行い、前記録音手段が録音実行中の場合、又はそれに加えて録音待機状態の場合には、前記通常品質よりも低い品質の波形データの出力を行う手段としたことを特徴とする電子音楽装置。
【発明の詳細な説明】
【技術分野】
【０００１】
この発明は、ＭＩＤＩ（Musical Instruments Digital Interface：登録商標）データ等の楽曲データに基づく自動演奏と、その自動演奏により生成した波形データを記録する録音機能とを備えた電子音楽装置に関し、特に、著作権保護等の用途のため楽曲データの利用を制限する機能を備えた電子音楽装置に関する。
【背景技術】
【０００２】
従来から、電子楽器やカラオケ装置等の電子音楽装置において、デモや演奏練習等のために、自動演奏用のＭＩＤＩデータ等の楽曲データを予め記憶させておき、この楽曲データに基づいて自動演奏を行うことができるようにすることが行われている。また、このような電子音楽装置は、ＰＣ（パーソナルコンピュータ）等のコンピュータを用いてソフトウェア的に実現することもできる。
【０００３】
ところで、このような電子音楽装置に記憶させる楽曲データには、著作権が存在し、ユーザに自由に複製や出力させることが許されていないことが多い。一方で、著作権保護が不要なＰＤ（Public Domain）のデータも存在し、このようなデータについては、複製や出力も含めてユーザが自由に利用できることが好ましい。そこで、上記のような電子音楽装置において、各楽曲データと対応させて著作権保護の要否を示すフラグを設け、このフラグに基づいて各楽曲データについて著作権保護の要否を判断し、著作権保護の必要な楽曲データについては装置の外部への出力を制限し、著作権保護の不要な楽曲データについては装置の外部への出力を許可するようにすることが提案されている（特許文献１参照）。
【特許文献１】特開２００３−５８１５０号公報
【０００４】
また、この他にも、楽曲データのようなコンテンツのコピーを防止する技術として、各コンテンツに使用できる機器を示す許諾機器ＩＤを付しておき、機器のＩＤがその許諾機器ＩＤと一致する場合にのみコンテンツの利用を許可するようにする技術も提案されている（特許文献２参照）。
【特許文献２】特開２００３−３３７５８５号公報
【０００５】
また一方では、ＨＤＤ（ハードディスクドライブ）を備え、ここに波形データを記録して録音を行う機能を有する電子音楽装置においては、楽曲データに基づいた自動演奏により生成した波形データを、記憶デバイスに波形ファイルとして記録する機能を設けることも、提案されている（特許文献３参照）。
【特許文献３】特開２０００−３３８９７９号公報
【発明の開示】
【発明が解決しようとする課題】
【０００６】
ここで、上記のように波形データを記録する機能を有する装置においては、上記特許文献１や２に記載のような技術により、著作権保護の必要な楽曲データの複製や出力を禁止したとしても、これらに基づく自動演奏により波形データを生成させてこれを記録してしまえば、記録後の波形データは自由に出力や複製して利用することができてしまうという問題があった。
そして、デジタルで出力される波形データについては、元の楽曲データとは異なる種類のデータに変換されているものの、元の楽音データと比較して品質の劣化がない。そこで、著作権保護等のため利用を制限する楽曲データについては、波形データとして複製や出力されることも防止したいという要求があった。
【０００７】
この発明は、このような要求に応えるためになされたものであり、楽曲データに基づく自動演奏により生成した波形データを記録する録音機能を備えた電子音楽装置において、予め定めた楽曲データを、その楽曲データと同内容の楽曲に係る波形データとして外部に出力できないようにすることを目的とする。
【課題を解決するための手段】
【０００８】
上記の目的を達成するため、この発明の電子音楽装置は、利用を制限する第１の楽曲データと、利用を制限しない第２の楽曲データとを記憶する第１の記憶手段と、波形データを記憶する第２の記憶手段と、上記第１の記憶手段に記憶している楽曲データに基づいてその楽曲データが示す楽曲に係る波形データを生成して出力する自動演奏手段と、その手段が生成した波形データを上記第２の記憶手段に記録して録音を行う録音手段とを設け、上記自動演奏手段を、波形データの生成に用いている楽曲データが上記第２の楽曲データである場合には上記録音手段の状態に関係なく通常品質の波形データの出力を行い、波形データの生成に用いている楽曲データが上記第１の楽曲データである場合には、上記録音手段が録音実行中でない場合、又はそれに加えて録音待機状態でない場合に上記通常品質の波形データの出力を行い、上記録音手段が録音実行中の場合、又はそれに加えて録音待機状態の場合には、上記通常品質よりも低い品質の波形データの出力を行う手段とした電子音楽装置である。
【発明の効果】
【０００９】
以上のようなこの発明の電子音楽装置によれば、楽曲データに基づく自動演奏により生成した波形データを記録する録音機能を備えた電子音楽装置において、予め定めた楽曲データを、その楽曲データと同内容の楽曲に係る波形データとして外部に出力できないようにすることができる。
【発明を実施するための最良の形態】
【００１０】
以下、この発明を実施するための最良の形態を図面に基づいて具体的に説明する。
まず、図１を用いて、この発明の電子音楽装置の実施形態である電子楽器の構成について説明する。図１はその電子楽器の構成を示すブロック図である。
図１に示すように、電子楽器１０は、ＣＰＵ１１，ＲＯＭ１２，ＲＡＭ１３，タイマ１４，表示回路１５，検出回路１７，外部機器入出力部（Ｉ／Ｏ）１９，ＭＩＤＩ（Musical Instruments Digital Interface：登録商標）Ｉ／Ｏ２０，音源部２１，ミキサ２２，転送部２３，ディスクＩ／Ｏ２４を備え、これらがバスライン３０によって接続されている。
【００１１】
また、電子楽器１０には、表示部１６が表示回路１５に、操作子１８が検出回路１７に、ＨＤＤ（ハードディスクドライブ）２５がディスクＩ／Ｏ２４にそれぞれ接続して設けられると共に、ミキサ２２に信号を入力するためのアナログ入力端子２６及びアナログ−デジタル（Ａ／Ｄ）コンバータ２７、およびミキサ２２で処理した信号を出力するためのデジタル−アナログ（Ｄ／Ａ）コンバータ２８とサウンドシステム２９も設けている。
【００１２】
そして、ＣＰＵ１１は、電子楽器１０を統括制御する制御部であり、ＲＯＭ１２に記憶された所要の制御プログラムを実行することにより、表示回路１５を介した表示部１６の表示制御、検出回路１７を介した操作子１８の操作内容検出、外部機器Ｉ／Ｏ１９を介した通信の制御、音源部２１における波形データ生成の制御、ミキサ２２における音響信号処理の制御、ディスクＩ／Ｏ２４におけるＨＤＤ２５へのデータ入出力の制御等の制御動作を行う。
【００１３】
ＲＯＭ１２は、ＣＰＵ１１が実行する制御プログラムや、変更する必要のないデータ等を記憶する記憶手段である。このＲＯＭ１２をフラッシュメモリ等の書き換え可能な不揮発性記憶手段によって構成し、これらのデータを更新できるようにすることも考えられる。また、後述する自動演奏用の楽曲データのうち固定のものは、このＲＯＭ１２に記憶させるようにすることも考えられる。
【００１４】
ＲＡＭ１３は、ＣＰＵ１１のワークメモリとして使用したり、一時的に使用するパラメータの値等を記憶したりする記憶手段である。
タイマ１４は、ＣＰＵ１１における楽曲データからの演奏データの生成や、音源部２１におけるＭＩＤＩ形式の演奏データに基づく波形データの生成、ミキサ２２における音響信号処理、及び転送部２３における波形データの転送処理等のタイミングを管理するための計時信号を生成する計時手段である。ＣＰＵ１１にこのタイマ１４の機能を設けてもよい。
【００１５】
表示回路１５は、ＣＰＵ１１からの指示に従って表示部１６における表示を制御する回路である。また、表示部１６は、液晶ディスプレイ（ＬＣＤ）や発光ダイオード（ＬＥＤ）ランプ等によって構成され、電子楽器１０の動作状態や設定内容あるいはユーザへのメッセージ、ユーザからの指示を受け付けるためのグラフィカル・ユーザ・インタフェース（ＧＵＩ）等を表示するための表示手段である。
【００１６】
検出回路１７は、操作子１８に対してなされた操作内容を検出してその内容に従った信号をＣＰＵ１１に伝達するための回路である。また、操作子１８は、キー、ボタン、ダイヤル、スライダ等によって構成され、電子楽器１０に対するユーザからの操作を受け付けるための操作手段である。なお、タッチパネルをＬＣＤに積層する等して表示部１６と操作子１８とを一体に形成することもできる。また、操作子１８には鍵盤等の演奏用の操作子も含む。
【００１７】
外部機器Ｉ／Ｏ１９は、ＬＡＮ（ローカルエリアネットワーク）のようなネットワークに接続する等して、ＰＣ（パーソナルコンピュータ）等の外部の機器と通信するためのインタフェースである。そして、例えばイーサネット（登録商標）規格のインタフェースを用いて構成することができる。また、ＵＳＢ（Universal Serial Bus）規格等のインタフェースにより外部記憶装置を接続できるようにすることも考えられる。
ＭＩＤＩＩ／Ｏ２０は、ＰＣや他の電子楽器、音源装置等、ＭＩＤＩデータを取り扱う外部装置との間でＭＩＤＩデータの送受信を行うためのインタフェースである。そして、例えばＵＳＢ規格や、ＩＥＥＥ１３９４（Institute of Electrical and Electronic Engineers 1394）規格、あるいはＲＳ２３２Ｃ（Recommended Standard 232 version C）規格等に準拠したインタフェースによって構成することができる。なお、外部機器Ｉ／Ｏ１９とＭＩＤＩＩ／Ｏ２０を兼ねるようなインタフェースを設けてもよい。
【００１８】
音源部２１は、ＣＰＵ１１がＨＤＤ２５から読み出した楽曲データに基づいて生成したり、ＭＩＤＩＩ／Ｏ２０で外部装置から受信したり、演奏操作子の操作に従ってＣＰＵ１１が生成したりしたＭＩＤＩ形式の演奏データを基に、複数の発音チャンネルでデジタル音響信号である波形データを生成する音源手段である。そして、生成した波形データはミキサ２２に入力してミキサ２２における信号処理に供する。
【００１９】
ミキサ２２は、音源部２１あるいはＡ／Ｄコンバータ２７から入力される波形データや、ＨＤＤ２５から読み出され、ディスクＩ／Ｏ２４及び転送部２３を介して入力され、再生される波形データに対し、設定されている処理パラメータに従ったミキシング等の信号処理を施す信号処理手段である。そして、同じ入力信号に対して、出力先毎に異なるミキシング比でミキシングが行われ、そのミキシング比を制御する処理パラメータは、ＣＰＵ１１により設定される。
【００２０】
また、ミキサ２２による処理後の波形データは、処理後の波形データをＤ／Ａコンバータ２８に送出してアナログ信号に変換させ、スピーカ等によるサウンドシステム２９によって処理後の音響信号に基づく音声を出力させるだけでなく、処理後の波形データを転送部２３及びディスクＩ／Ｏ２４を介してＨＤＤ２５に記録し、ＨＤＤ２５への録音を行うこともできる。そして、ミキサ２２における信号処理のパラメータを出力先毎に変えることができるようにしてもよい。
【００２１】
転送部２３は、バッファメモリを備え、ミキサ２２とＨＤＤ２５との間の波形データの転送を仲介する機能を有する。より具体的には、ディスクＩ／Ｏ２４がクラスタ単位でＨＤＤから読み出した波形データをバッファメモリに記憶しておき、これを各サンプル毎に適当な再生タイミングで順次ミキサ２２に入力する機能（レコーダの再生機能）や、ミキサ２２から入力する波形データをバッファメモリに記憶しておき、１クラスタ分のデータが蓄積されるか所定の区切りとなった時点でそれをディスクＩ／Ｏ２４に転送してＨＤＤ２５に書き込ませる機能（レコーダの録音機能）を有する。
【００２２】
そして、ディスクＩ／Ｏ２４は、ＨＤＤ２５に対するデータの読み書きを行う機能を有する。ただし、この読み出したデータの転送先や書き込むデータの供給元は、転送部２３には限られず、ＲＡＭ１３におけるＣＰＵ１１のワークエリアや、外部機器Ｉ／Ｏ１９を介して通信可能な外部装置がデータの転送先や供給元となることもある。
【００２３】
ＨＤＤ２５は、自動演奏に使用する楽曲データ、音源部２１により生成したりアナログ入力端子２６や外部機器Ｉ／Ｏ１９から入力したりした音響信号をミキサ２２で処理して得た波形データ、ＣＰＵ１１に実行させるプログラム等を記憶する記憶手段である。なお、自動演奏に使用する楽曲データには、予めＨＤＤ２５に記憶させておくもののほか、操作子１８中の演奏操作子による演奏操作に応じて生成してＨＤＤ２５に記憶させたデータや、外部機器Ｉ／Ｏ１９あるいはＭＩＤＩＩ／Ｏ２０を介して外部装置から受信したデータあるいはそのデータに応じて生成したデータ等も含めることができる。また、ＨＤＤ２５には、自動演奏に使用するデータとして、スタイルデータ、音色データ、設定データ等も記憶させておく。
【００２４】
また、ＨＤＤ２５においては、ミキサ２２の動作と連動してリアルタイムで波形データの記録／再生を行うための記憶領域として、それぞれ一対トラックからなるステレオトラックを複数用意している。そして、ユーザが、そのうち１つのステレオトラックを選択して録音を指示した場合には、ミキサ２２でのミキシング処理後のステレオの波形データをそのステレオトラックに記録することができる（レコーダの録音動作）。また、ユーザが、１つのステレオトラックを選択して再生を指示した場合には、そのステレオトラックからステレオの波形データを読み出し、ミキサ２２に供給することができる（レコーダの再生動作）。さらに、再生した波形データにミキサ２２で他の音の波形データをミキシングしてＨＤＤ２５に記録することもできる。
また、ステレオトラックに記録した波形データを他の記憶領域に移動して保存したり、他の記憶領域に保存してある波形データを再生に用いるためにステレオトラックに読み出すこともできる。そして、上記のステレオトラックも含め、波形データを記憶する記憶手段が第２の記憶手段に該当する。
【００２５】
以上のような構成を有する電子楽器１０は、ＨＤＤ２５に記録されている楽音データに基づいてＣＰＵ１１が所定のタイミングで演奏データであるＭＩＤＩデータを生成し、音源部２１にこのＭＩＤＩデータに基づいて波形データを生成させることにより自動演奏を行う機能（自動演奏機能）と、音源部２１が生成し、ミキサ２２が処理した波形データをＨＤＤ２５に記録することによって録音する機能（録音手段としての機能であるレコーダ機能）とを有し、これらの機能を組み合わせることにより、ＨＤＤ２５に、自動演奏に使用した楽曲データと同じ楽曲に係る波形データを作成することができる。
【００２６】
しかし、著作権保護等の理由により、ユーザによる利用を制限する必要がある楽曲データについては、このように、形式が異なるとはいえ実質的にデータを複製できてしまうと、好ましくない。一方で、特に利用を制限する必要がない楽曲データについては、複製も含め、ユーザがなるべく自由に利用できるようにすることが好ましい。
そこで、この電子楽器１０においては、利用を制限する楽曲データと制限しない楽曲データとを区別し、利用を制限する楽曲データについては、上記の機能を利用して楽曲データから実質的に同じ品質の波形データを作成することができないようにしている。
【００２７】
以下、電子楽器１０の動作について、この機能を実現するための動作を中心に説明する。以下の説明において言及しない部分については、従来のハードディスクレコーダ（ＨＤＲ）機能付の電子楽器の動作を適宜採用することができる。
まず、図２に、電子楽器１０のコンソールのうち、自動演奏及び波形データの記録（録音）に係る操作に使用する部分の構成を示す。
この図に示すように、電子楽器１０のコンソール４０には、液晶パネルにタッチパネルを積層した操作パネル４１と、レコーダの録音・再生の開始・停止等を指示するためのボタン５１〜５５とを設けている。なお、コンソール４０には、それ以外の、自動演奏の録音・再生の開始・停止等を制御するためのボタン等の図示しない操作子も設けられている。
【００２８】
そして、自動演奏の楽曲選択を受け付ける楽曲選択画面においては、楽曲一覧部４２内に楽曲データ名表示部４３を設けてＨＤＤ２５に記憶している楽曲データの名前（楽曲データに係る楽曲の名前でもよい）の一覧を表示している。もちろん、複数ページに分けて表示するようにしてもよい。また、楽曲データの利用を制限する楽曲については、名称の脇に「＾」マークをつけてその旨を示し、利用を制限しない楽曲と区別できるようにしている。
そして、楽曲一覧部４２の脇には楽曲選択ボタン４４を表示し、ユーザがこのボタンにタッチすることにより、対応する楽曲データ名表示部４３に表示されている楽曲データを、自動演奏に使用する楽曲データとして選択することができるようにしている。
【００２９】
また、電子楽器１０のレコーダに関しても、ステレオトラックの選択を受け付ける同様のステレオトラック選択画面が設けられており、複数のステレオトラックのうちの任意のステレオトラックを、レコーダで録音・再生を行うステレオトラックとして選択することができる。このレコーダは、ここでは少なくとも停止状態、再生状態、録音状態及び録音待機状態のいずれかの状態になることができるが、操作パネル４１の手前側に設けたボタン５１〜５５のうち、録音ボタン５１は、このうち停止状態と録音待機状態とを切り替えるボタンである。そして、レコーダが停止状態の時にこのボタンを押下すると、レコーダが録音待機状態に移行し、録音待機状態の時に押下すると、停止状態に移行する。また、図示は省略したが、録音ボタン５１にはＬＥＤ（発光ダイオード）等によるランプを設け、停止状態ではこれを消灯、録音待機状態では点滅、録音状態では常時点灯させ、レコーダの状態を示すようにしている。これらの動作は、自動演奏が実行中か否かには関係なく行うことができる。
【００３０】
そして、録音待機状態で開始ボタン５３を押下すると、レコーダは録音待機状態から録音状態に移行し、録音動作を開始する。また、操作パネル４１において、レコーダの録音と自動演奏との連動機能が有効に設定されている場合には、電子楽器１０に、開始ボタン５３の押下に応じて、楽曲データに基づく自動演奏とステレオトラックの録音動作とを同時に開始させることができる。開始ボタン５３にもＬＥＤ等によるランプを設け、レコーダが録音状態及び再生状態にある場合には常時点灯、それ以外の状態にある場合には消灯させるようにしている。
【００３１】
また、録音状態で停止ボタン５２を押下すると、レコーダは録音動作を停止し、停止状態に移行する。上記の連動機能が有効の場合は、自動演奏を実行中であれば、これも停止する。
巻き戻しボタン５４と早送りボタン５５は、レコーダの巻き戻しと早送りを指示するためのボタンであり、それが操作されている間、選択されているステレオトラック上の再生位置を示す再生ポインタを時間軸上の前方ないし後方に録音・再生時より速い速度で移動させる。
また、停止状態で開始ボタン５３を押下すると、レコーダは再生状態に移行し、再生状態で停止ボタン５２を押下すると、レコーダは停止状態に移行する。
【００３２】
次に、図３に、電子楽器１０に記憶させる自動演奏用のデータの構成例を示す。これらのデータは、ＨＤＤ２５に記憶させるとよいが、ＲＯＭ１２に記憶させることも考えられる。また、これらのデータを記憶する記憶手段が第１の記憶手段である。
そして、この図に示すように、自動演奏用のデータには、楽曲データ、スタイルデータ、音色データ、設定データ等のデータと、これらの各データと対応するエントリデータとが含まれる。
【００３３】
このうち楽曲データは、Ａ〜Ｃ等の１曲分のデータ毎に１６トラック分のデータによって構成され、各トラックについて、初期値及び、各タイミングで発生させるＭＩＤＩイベントのデータが含まれている。なお、このような１曲分の楽曲データは、「ソング」とも呼ばれる。そして、ＣＰＵ１１は、この楽曲データに従い、指定されたタイミングでＭＩＤＩイベントを示すＭＩＤＩデータ（演奏データ）を生成することができる。
また、スタイルデータ、音色データ、および設定データは、それぞれ、上記のＭＩＤＩデータを再生する際に、上記１６トラックとは別のリズムトラックで再生されるリズムのリズムパターンを制御するデータ、音源部２１における上記１６トラックの各々の音色を制御するデータ、および楽曲の拍子やテンポを制御するデータである。
【００３４】
一方、楽曲エントリデータは、各曲の楽曲データと対応して設けられ、その楽曲データのファイル名、先頭アドレス及びファイルサイズのデータを含み、ＣＰＵ１１がこれらを参照して楽曲データをＲＡＭ１３に読み出すことができるようにしている。
そしてさらに、対応する楽曲データの利用を制限するか否かを判断するための利用制限情報として、ここではエントリデータに著作権データを含めている。そして、著作権データとしては、著作権保護のため楽曲データの利用を制限する場合（第１の楽曲データに該当）には「１」を、著作権保護が不要な場合（第２の楽曲データに該当）には「０」を登録するようにしている。
なお、利用制限情報として、著作権データのように、権利の有無を示す情報でなく、他の情報を用いるようにしてもよい。
【００３５】
次に、図４に、電子楽器１０のＣＰＵ１１が、図２に示した楽曲選択画面で楽曲選択ボタン４４が押下された場合に実行する処理のフローチャートを示す。
ＣＰＵ１１は、楽曲選択画面でいずれかの楽曲選択ボタン４４が押下されると、図４のフローチャートに示す処理を開始する。そして、ステップＳ１１で押下されたボタンと対応する楽曲がなければそのまま処理を終了するが、あれば、ステップＳ１２以降に進む。
【００３６】
そして、該当する楽曲が利用を制限する制限曲であれば、制限フラグに１を設定し、制限曲でなければ制限フラグに０を設定する（Ｓ１２〜Ｓ１４）。なお、ここでは著作権保護が必要な楽曲である著作権曲を制限曲としており、これは、上記の著作権データが「１」であるか否かによって判別できる。
そしてその後、選択された楽曲の名前を記憶する（Ｓ１５）と共に、その楽曲の楽曲データをＲＡＭ１３に読み出して（Ｓ１６）処理を終了する。
以上の処理により、ユーザに指示された楽曲に係る楽曲データをＲＡＭ１３に読み出し、自動演奏に使用できる状態にすることができる。
【００３７】
次に、図５に、自動演奏開始指示があった場合にＣＰＵ１１が実行する処理のフローチャートを示す。
ＣＰＵ１１は、楽曲選択ボタン４４により自動演奏する楽曲が選択された後、図示しない自動演奏用の再生ボタンの押下等により自動演奏の開始が指示されると、図５のフローチャートに示す処理を開始する。
この処理においてはまず、自動演奏の対象として選択されている楽曲が制限曲であるか否か判断する（Ｓ２１）。この判断は、例えば図４のステップＳ１３又はＳ１４で設定した制限フラグが１であるか否かによって行うことができる。
【００３８】
そして、制限曲でなければ、ステップＳ２２に進み、選択されている楽曲データに基づく自動演奏を通常品質で実行し、これが終了するか、または途中で停止指示があった場合に処理を終了する。なお、この処理は、より具体的には、自動演奏に必要なデータを音源部２１に設定すると共に、楽曲データに基づいて演奏データを生成して音源部２１に供給し、楽曲に係る波形データを生成させると共にミキサ２２を介してＤ／Ａコンバータ２８や転送部２３に出力させるものであり、この処理において、ＣＰＵ１１は楽曲再生手段として機能する。また、ＣＰＵ１１，音源部２１，ミキサ２２等、自動演奏に係る処理を行う部分が自動演奏手段として機能する。
【００３９】
一方、ステップＳ２１で制限曲である場合にはステップＳ２３に進むが、ここでレコーダが録音状態でも録音待機状態でもなければ、ステップＳ２２に進んで上述の場合と同様に自動再生を行い、録音状態又は録音待機状態であれば、ステップＳ２４に進む。そして、選択されている楽曲データに基づく自動演奏を低品質で実行し、これが終了するか、または途中で停止指示があった場合に処理を終了する。
【００４０】
ここで、低品質の自動再生とは、通常品質の自動再生に比べてノイズの含有量が多かったり演奏のニュアンスが失われていたりする聞き心地の悪い音を発生させるような自動再生であり、楽曲データに基づいて波形データを生成して出力するまでの課程の処理において、通常品質の自動再生に例えば以下のような変更を加えたものである。
（１）音源部２１で生成する波形データのビット数を落としたもの（通常１６ビットのところ８ビットにする等）。
（２）音源部２１で生成する波形データのサンプリング周波数を下げたもの（通常４８キロヘルツのところ２０キロヘルツにする等）。
（３）ＣＰＵ１１が楽曲データに基づいて生成するＭＩＤＩイベントの発生タイミングの時間分解能や各パラメータの分解能を下げたもの。
【００４１】
（４）音源部２１で生成する波形データによる音量を低い音量（例えば−２０デシベル以下）に制限したもの。
（５）音源部２１の一部の発音チャンネルを用いてノイズを発生させ、ミキサ２２において他の波形データに対してミキシングしたもの。
（６）ミキサ２２でディストーション処理を行って波形を歪ませたもの。
（７）全く音を発しない無音を示す波形データを生成するもの。
そして、これらの処理は、ＣＰＵ１１が自身で自動演奏に係る処理の内容を変更したり、音源部２１やミキサ２２に設定するパラメータの値を変更したりすることにより、実現できる。
【００４２】
このような処理を行うことにより、利用を制限する楽曲データに基づく自動演奏を、録音の実行中でも録音待機状態でもない場合に通常品質で行い、録音の実行中又は録音待機状態では低品質で行うようにすることができるので、利用を制限する楽曲データについては、自動演奏により生成された通常品質の波形データを記録できないようにすることができる。すなわち、楽曲データを、同等な品質の波形データとして複製できないようにすることができる。
そして、複製を完全に防止しなくても、波形データの品質が低いものであれば、用途が限られるため、利用の制限という目的はある程度達成することができる。
【００４３】
一方、利用を制限しない楽曲データに基づく自動演奏はレコーダの状態に関係なく通常品質で行うようにしているので、このような楽曲データは、同等な品質の波形データとして複製できるようにすることができる。
なお、最低限利用を制限する楽曲データの同等な品質での複製を防止するためには、録音の実行中のみ、利用を制限する楽曲データに基づく自動演奏を低品質で行うようにすることも考えられる。
【００４４】
次に、図６に、録音ボタン５１の押下があった場合にＣＰＵ１１が実行する処理のフローチャートを示す。
ＣＰＵ１１は、録音ボタン５１が押下されると、図６のフローチャートに示す処理を開始する。そして、まずステップＳ３１でレコーダの状態を判定し、録音状態ないし再生状態であれば録音ボタン５１の押下に応じた動作は特にないので処理を終了する。また、録音待機状態であれば、レコーダを停止状態に移行させると共に、録音ボタンのランプを消灯してレコーダが停止状態であることを示す（Ｓ３２，Ｓ３３）。
そして、レコーダが停止状態であれば、制限曲を自動演奏中であっても、通常品質で自動演奏を行ってよいため、自動演奏を通常品質に変更して処理を終了する（Ｓ３４，Ｓ３５）。
【００４５】
また、ステップＳ３１で停止状態であった場合は、逆にレコーダを録音待機状態に移行させると共に、録音ボタンのランプを点滅させて録音待機状態であることを示す（Ｓ３６，Ｓ３７）。そして、レコーダが録音待機状態になったら、制限曲の自動演奏は低品質とする必要があるため、制限曲を自動演奏中の場合、自動演奏を低品質に変更して処理を終了する（Ｓ３８，Ｓ３９）。
【００４６】
このような処理を行うことにより、自動演奏の実行中にレコーダの状態が切り換えられた場合でも、自動演奏の品質を適切に制御し、制限曲の楽曲データを、同等な品質の波形データとして複製できないようにする一方、制限曲でない曲の楽曲データは、常に複製が可能な状態にすることができる。
ここで、電子楽器１０においては、録音状態には、必ず録音待機状態から移行するので、録音待機状態に移行する際に制限曲の自動演奏を低品質にしておき、その後品質を変更しなければ、録音状態に移行する際にも制限曲の自動演奏は低品質のままである。
なお、最低限利用を制限する楽曲データの複製を防止するためには、レコーダが録音状態に移行する際（録音待機状態において開始ボタン５３が押下された場合）に、利用を制限する楽曲データに基づく自動演奏を低品質に変更するようにすることも考えられる。
【００４７】
次に、図７に、楽曲データの外部出力指示あった場合にＣＰＵ１１が実行する処理のフローチャートを示す。
電子楽器１０は、ＨＤＤ２５等に記憶している楽曲データを、外部機器Ｉ／Ｏ１９を介して外部装置に出力することもできる。そして、ユーザが楽曲選択ボタン４４により楽曲を選択して外部出力を指示すると、ＣＰＵ１１は図７のフローチャートに示す処理を開始する。
【００４８】
この処理においては、まずステップＳ４１で、制限曲が選択されているか否か判断する。この判断も、図４のステップＳ１３又はＳ１４で設定した制限フラグが１であるか否かによって行うことができる。そして、制限曲が選択されていなければ、出力指示に応じて、選択されている楽曲の楽曲データのファイルを、指定された出力先に外部機器Ｉ／Ｏ１９を介して出力し（Ｓ４３）、処理を終了する。一方、ステップＳ４１で制限曲が選択されていれば、操作パネル４１上に出力を実行できない旨の警告メッセージを表示して処理を終了する（Ｓ４２）。
【００４９】
このような処理を行うことにより、制限曲の楽曲データが電子楽器１０の外部に出力されることを防止し、楽曲データの利用を電子楽器１０内部での利用に留めることができる。着脱可能な記録媒体への出力が可能な場合には、その記録媒体への出力も、同様に制限するようにするとよい。
【００５０】
以上で実施形態の説明を終了するが、装置の構成、具体的な処理内容や操作方法等が上述の実施形態で説明したものに限られないことはもちろんである。
例えば、上述した実施形態においては、楽曲全体について、利用制限の有無を設定し、それに応じて自動演奏の品質を切り換える例について説明した。しかし、パートごとに利用制限の有無を設定できるようにする等、楽曲データの一部のみの利用を制限することができるようにすることも考えられる。そして、このようにした場合、レコーダが録音状態、又はそれに加えて録音待機状態の場合に、楽曲データのうち利用を制限する部分に基づく自動演奏についてのみ、低品質で行い、利用を制限しない部分については通常品質で行うことができるようにすることが考えられる。
このようにすれば、より柔軟に、必要な部分だけ楽曲データの利用制限を行い、制限の必要ない部分についてはユーザの自由度を高めることができる。
【００５１】
また、上述した実施形態においては、楽曲データの利用を制限するか否かを、楽曲データと対応させて用意した利用制限情報の内容により判断するようにしたが、このようにすることは必須ではない。
そして、例えば、メーカー独自の形式でフォーマットされたフレキシブルディスクに記憶された楽曲データのように、一般的なＰＣや他社のシーケンサで読み込んだりコピーしたりできないように保存されている楽曲データは、利用を制限する楽曲データであると判断するようにしてもよい。
【００５２】
また、スマートメディア，ＳＤ（Secure Digital）メモリ，ＵＳＢメモリ等の記録媒体に、暗号化した状態で記憶させておき、電子楽器１０で利用する際にこれを復号化してから利用するような楽曲データも、利用を制限する楽曲データであると判断するようにしてもよい。このようにした場合でも、一般的なＰＣや他社のＭＩＤＩシーケンサで読み込んだりコピーしたりできないようにすることができる。
そして、このようなケースとしては、ＩＤ（識別情報）を付した記録媒体に、そのＩＤを用いて暗号化したりスクランブルをかけたりした状態で楽曲データを記憶させておき、電子楽器１０で利用する際に、記録媒体のＩＤを用いて楽曲データを復元してから電子楽器１０の記憶手段に移動させるようにするケースが考えられる。また、電子楽器１０のＨＤＤ２５に記憶されている楽曲データを、記録媒体のＩＤを用いて暗号化してその記録媒体に移動させることができるようにすることも考えられる。
【００５３】
また、楽曲データのファイルフォーマットが、利用制限用のフォーマットである場合に、その楽曲データは利用を制限する楽曲データであると判断するようにしてもよい。このようなケースとしては、特許文献２に記載されているように、ＰＣ等により自由にファイルをコピーできるようにする一方、楽曲データの許諾機器ＩＤが機器のＩＤと合致しない場合にはその楽曲データを利用できないようにするケースが考えられる。
また、楽曲データを電子楽器１０の記憶手段に移動させる際に、上記のようなフォーマットの違いが判別できなくなってしまう場合は、その移動の際に、必要に応じて利用制限情報を作成し、楽曲データと対応させて記憶しておくようにしてもよい。
【００５４】
また、上述した実施形態においては、楽曲データの利用を制限する目的が著作権保護である例について説明したが、これ以外の理由により利用を制限する場合にもこの発明が適用できることはもちろんである。また、その場合にも、各データの利用を制限するか否かを何らかの手段により判別できればよく、利用制限情報を用いることは必須ではない。
また、この発明が電子楽器以外の電子音楽装置に適用できることはもちろんであり、例えば、ハードディスクレコーダ、ＭＩＤＩシーケンサ、デジタルミキサ、カラオケ装置、楽曲データや波形データを処理するソフトウェアを実行可能なＰＣ等、任意の電子音楽装置に適用することができる。
また、楽曲データや波形データを記憶する記憶手段は、電子音楽装置に内蔵のものに限られず、取り外し可能な記録媒体や、装置の外部に設けた記録装置、あるいはその記録装置に装着された記録媒体等であってもよい。
【産業上の利用可能性】
【００５５】
以上の説明から明らかなように、この発明の電子音楽装置によれば、楽曲データに基づく自動演奏により生成した波形データを記録する録音機能を備えた電子音楽装置において、予め定めた楽曲データを、その楽曲データと同内容の楽曲に係る波形データとして外部に出力できないようにすることができる。
従って、必要な場合にユーザによる楽曲データの利用を制限できる電子音楽装置を提供することができる。
【図面の簡単な説明】
【００５６】
【図１】この発明の電子音楽装置の実施形態である電子楽器の構成を示すブロック図である。
【図２】図１に示した電子楽器のコンソールのうち、自動演奏及び波形データの記録に係る操作に使用する部分の構成を示す図である。
【図３】図１に示した電子楽器に記憶させる自動演奏用のデータの構成例を示す図である。
【図４】図１に示した電子楽器のＣＰＵが、楽曲選択画面で楽曲選択ボタンが押下された場合に実行する処理のフローチャートである。
【図５】同じく自動演奏開始指示があった場合にＣＰＵが実行する処理のフローチャートである。
【００５７】
【図６】同じく録音ボタンの押下があった場合にＣＰＵが実行する処理のフローチャートである。
【図７】同じく楽曲データの外部出力指示あった場合にＣＰＵが実行する処理のフローチャートである。
【符号の説明】
【００５８】
１０…電子楽器、１１…ＣＰＵ，１２…ＲＯＭ、１３…ＲＡＭ、１４…タイマ、１５…表示回路、１６…表示部、１７…検出回路、１８…操作子、１９…外部機器Ｉ／Ｏ、２０…ＭＩＤＩＩ／Ｏ、２１…音源部、２２…ミキサ、２３…転送部、２４…ディスクＩ／Ｏ、２５…ＨＤＤ、２６…アナログ入力端子、２７…Ａ／Ｄコンバータ、２８…Ｄ／Ａコンバータ、２９…サウンドシステム、３０…バスライン、４０…コンソール、４１…操作パネル、４２…楽曲一覧部、４３…楽曲データ名表示部、４４…楽曲選択ボタン、５１…録音ボタン、５２…停止ボタン、５３…開始ボタン、５４…巻き戻しボタン、５５…早送りボタン
【図１】
2006259610.tif 000003
【図２】
2006259610.tif 000004
【図３】
2006259610.tif 000005
【図４】
2006259610.tif 000006
【図５】
2006259610.tif 000007
【図６】
2006259610.tif 000008
【図７】
2006259610.tif 000009